(57)【要約】【課題】本体と操作表示部との間の通信品質を判定することによって、本体と操作表示部との間の通信接続が切断される頻度を低減することができる。【解決手段】無線通信装置は本体装置とタブレット装置とを備え、タブレット装置は音声通話情報と通信情報とを本体装置との間において送受信するタブレット通信部を備え、本体装置は音声通話情報及び通信情報の少なくとも一方の情報をタブレット通信部との間において送受信する本体通信部を備え、タブレット装置と前記本体装置との少なくとも一方が無線基地局との間において音声通話及びデータ通信を行う無線通信モジュールと、タブレット通信部と本体通信部との間の通信品質を判定する通信品質判定部と、通信品質判定部の判定結果に応じて通信品質に基づく情報である通信品質情報をタブレット装置又は本体装置に出力する通信品質情報出力部と、を備える。【選択図】図１
2016178512.tif 000002
【特許請求の範囲】
【請求項１】
本体装置と、前記本体装置と通信するタブレット装置とを備え、
前記タブレット装置は、
画像を表示する表示部と、
前記表示部に表示される操作用画像に対する操作を検出する操作検出部と、
無線通信回線を介した音声通話に用いられる音声通話情報と、前記無線通信回線を介したデータ通信に用いられる通信情報とを、前記本体装置との間において送受信するタブレット通信部と、
自装置の各部を制御するタブレット制御部と、
を備え、
前記本体装置は、
前記タブレット装置が装着された場合に、装着された前記タブレット装置を保持する保持部と、
前記音声通話情報及び前記通信情報の少なくとも一方の情報を、前記タブレット通信部との間において送受信する本体通信部と、
自装置の各部を制御する本体制御部と、
取得した音声情報を前記本体制御部に供給するとともに、前記本体制御部から供給される情報に基づく音を出力する受話器と、
を備え、
前記タブレット装置と、前記本体装置との少なくとも一方が、
無線基地局との間において前記無線通信回線を介した前記音声通話及び前記データ通信を行う無線通信モジュールと、
前記タブレット通信部と、前記本体通信部との間の通信品質を判定する通信品質判定部と、
前記通信品質判定部の判定結果に応じて、前記通信品質に基づく情報である通信品質情報を、前記タブレット装置又は前記本体装置に出力する通信品質情報出力部と、
を備える無線通信装置。
【請求項２】
前記通信品質情報出力部は、前記通信品質情報を、前記無線通信回線を介した前記音声通話及び前記データ通信の相手側の装置に対して出力する、請求項１に記載の無線通信装置。
【請求項３】
前記通信品質情報は、前記通信品質判定部によって前記通信品質が低下したと判定された場合に、前記タブレット装置、前記本体装置、及び前記無線通信回線を介した前記音声通話及び前記データ通信の相手側の装置、のうち少なくとも１つが警告を出力するための情報である、請求項１または請求項２に記載の無線通信装置。
【請求項４】
前記通信品質情報出力部は、前記通信品質の時間的な変化に応じて、前記通信品質情報を、前記タブレット装置、前記本体装置、及び前記無線通信回線を介した前記音声通話及び前記データ通信の相手側の装置、のうち少なくとも１つに対して出力する、請求項１または請求項２に記載の無線通信装置。
【請求項５】
前記通信品質情報出力部は、前記タブレット通信部と前記本体通信部との間の通信が切断された場合に、前記タブレット装置、前記本体装置、及び前記無線通信回線を介した前記音声通話及び前記データ通信の相手側の装置、のうち少なくとも１つに対して通知する、請求項１に記載の無線通信装置。
【請求項６】
前記通信品質は、前記タブレット通信部と、前記本体通信部との間の通信における受信信号の強度によって示され、前記通信品質判定部は、前記受信信号の強度の所定のしきい値に基づいて、前記通信品質を判定する、請求項１に記載の無線通信装置。
【発明の詳細な説明】
【技術分野】
【０００１】
本発明の実施形態は、無線通信装置に関する。
【背景技術】
【０００２】
従来、本体から取り外し可能な操作表示部を備える据置型電話機が知られている（例えば、特許文献１を参照）。
【先行技術文献】
【特許文献】
【０００３】
【特許文献１】特開平１０−３２２４４２号公報
【発明の概要】
【発明が解決しようとする課題】
【０００４】
この従来の据置型電話機においては、この操作表示部が液晶画面付きのタッチパネルを備えている場合がある。このような従来の据置型電話機においては、例えば、本体側のユーザが本体の受話器を用いて音声通話をすると同時に、本体から取り外した操作表示部側の他のユーザが操作表示部のタッチパネルを用いてデータ通信を行うことも可能である。
ただし、本体と操作表示部とが通信接続できる距離には限りがある。例えば、操作表示部が本体から遠ざかることによって、本体と操作表示部との間の通信接続が切断され得る。また、例えば据置型電話機が、通信基地局と通信接続するための通信モジュールを操作表示部側に備えている場合、本体は、操作表示部の通信モジュールを介して通信基地局と通信接続する。そのため、本体と操作表示部との間の通信接続が切断されると、本体は、通信基地局との通信接続が切断され、音声通話を継続できなくなる。逆に、据置型電話機が通信モジュールを本体側に備えている場合も同様であり、本体と操作表示部との間の通信接続が切断されると、操作表示部はデータ通信を継続できなくなる。したがって、本体と操作表示部との間の通信接続の切断を防ぐことが求められる。しかしながら、特に、通信モジュールが操作表示部側に備えられている場合、操作表示部が本体から遠ざかることによって、本体側で音声通話中のユーザは移動していないにもかかわらず通信接続が切断され、音声通話が継続できなくなることも有り得る。本体側で音声通話中のユーザは、操作表示部が遠ざかることを防ぐことが難しい場合もあり、音声通話の切断を防ぐことが困難である。
【０００５】
本発明は、上記の点に鑑みてなされたものであり、本体と操作表示部との間の通信品質を判定することによって、本体と操作表示部との間の通信接続が切断される頻度を低減することができる無線通信装置を提供することを目的とする。
【課題を解決するための手段】
【０００６】
本発明の一実施形態は、本体装置と、前記本体装置と通信するタブレット装置とを備え、前記タブレット装置は、画像を表示する表示部と、前記表示部に表示される操作用画像に対する操作を検出する操作検出部と、無線通信回線を介した音声通話に用いられる音声通話情報と、前記無線通信回線を介したデータ通信に用いられる通信情報とを、前記本体装置との間において送受信するタブレット通信部と、自装置の各部を制御するタブレット制御部と、を備え、前記本体装置は、前記タブレット装置が装着された場合に、装着された前記タブレット装置を保持する保持部と、前記音声通話情報及び前記通信情報の少なくとも一方の情報を、前記タブレット通信部との間において送受信する本体通信部と、自装置の各部を制御する本体制御部と、取得した音声情報を前記本体制御部に供給するとともに、前記本体制御部から供給される情報に基づく音を出力する受話器と、を備え、前記タブレット装置と、前記本体装置との少なくとも一方が、無線基地局との間において前記無線通信回線を介した前記音声通話及び前記データ通信を行う無線通信モジュールと、前記タブレット通信部と、前記本体通信部との間の通信品質を判定する通信品質判定部と、前記通信品質判定部の判定結果に応じて、前記通信品質に基づく情報である通信品質情報を、前記タブレット装置又は前記本体装置に出力する通信品質情報出力部と、を備える無線通信装置である。
【０００７】
また、本発明の一実施形態の無線通信装置において、前記通信品質情報出力部は、前記通信品質情報を、前記無線通信回線を介した前記音声通話及び前記データ通信の相手側の装置に対して出力する。
【０００８】
また、本発明の一実施形態の無線通信装置において、前記通信品質情報は、前記通信品質判定部によって前記通信品質が低下したと判定された場合に、前記タブレット装置、前記本体装置、及び前記無線通信回線を介した前記音声通話及び前記データ通信の相手側の装置、のうち少なくとも１つが警告を出力するための情報である。
【０００９】
また、本発明の一実施形態の無線通信装置において、前記通信品質情報出力部は、前記通信品質の時間的な変化に応じて、前記通信品質情報を、前記タブレット装置、前記本体装置、及び前記無線通信回線を介した前記音声通話及び前記データ通信の相手側の装置、のうち少なくとも１つに対して出力する。
【００１０】
また、本発明の一実施形態の無線通信装置において、前記通信品質情報出力部は、前記タブレット通信部と前記本体通信部との間の通信が切断された場合に、前記タブレット装置、前記本体装置、及び前記無線通信回線を介した前記音声通話及び前記データ通信の相手側の装置、のうち少なくとも１つに対して通知する。
【００１１】
また、本発明の一実施形態の無線通信装置において、前記通信品質は、前記タブレット通信部と、前記本体通信部との間の通信における受信信号の強度によって示され、前記通信品質判定部は、前記受信信号の強度の所定のしきい値に基づいて、前記通信品質を判定する。
【発明の効果】
【００１２】
本発明によれば、本体と操作表示部との間の通信品質を判定することによって、本体と操作表示部との間の通信接続が切断される頻度を低減することができる。
【図面の簡単な説明】
【００１３】
【図１】本実施形態の無線通信装置の外観構成の一例を示す模式図である。
【図２】本実施形態の無線通信装置の機能構成の一例を示すブロック図である。
【図３】本実施形態の無線通信装置による処理の流れの一例を示す流れ図である。
【図４】本実施形態の無線通信装置による音声通話処理の流れの一例を示す流れ図である。
【図５】本実施形態の無線通信装置による通信品質情報出力処理の流れの一例を示す流れ図である。
【図６】本実施形態のタブレット装置の表示部に表示される通知画像の一例を示す模式図である。
【発明を実施するための形態】
【００１４】
［実施形態］
以下、図を参照して無線通信装置１の実施形態について説明する。
図１は、本実施形態の無線通信装置１の外観構成の一例を示す模式図である。本実施形態の無線通信装置１は、他の通信装置２との間における音声通話機能及びデータ通信機能を提供する。ここでいう他の通信装置２とは、例えば、固定電話、携帯電話、スマートフォンである。本実施形態の無線通信装置１は、本体装置１０と、タブレット装置２０とを備えている。これら本体装置１０と、タブレット装置２０とのいずれか一方、または両方に、無線通信モジュール２０５が備えられている。無線通信装置１は、この無線通信モジュール２０５によって、無線基地局３及びネットワークＮを介して、他の通信装置２と接続される。
【００１５】
この無線通信モジュール２０５は、電話用の音声情報と、データ通信用の情報とを同一の回線で送受信可能な高速データ通信回線に接続が可能である。この高速データ通信回線とは、例えば、ＬＴＥ（Long Term Evolution）通信網である。この高速データ通信回線は、画像や文字などのデジタル情報の送受信に加えて、音声通話を可能にするサービス（ＶｏＬＴＥ；Voice over LTE）を提供する。すなわち、無線通信モジュール２０５は、無線基地局３との間において無線通信回線を介した音声通話及びデータ通信を行う。
【００１６】
この無線通信モジュール２０５には、無線通信モジュール２０５毎に固有の識別情報が付与されている。無線基地局３は、この識別情報と電話番号とを紐付けする。他の通信装置２は、この電話番号によって音声通話又はデータ通信の相手方を特定する。例えば、無線通信装置１を相手方として通信を行う場合、他の通信装置２は、無線通信モジュール２０５の識別情報に紐付けされた電話番号を使用して通信を開始する。なお、以下の説明においては、無線通信モジュール２０５の識別情報に紐付けされた電話番号を、単に、無線通信モジュール２０５の電話番号とも、無線通信装置１の電話番号とも記載する。
【００１７】
ここで、無線通信モジュール２０５の識別情報には、固定電話の電話番号が紐付けされている。具体的には、無線通信モジュール２０５の識別情報には、無線通信装置１が設置されている地域の市外局番から始まる電話番号が紐付けされている。例えば、無線通信装置１が東京２３区内の地域に設置されている場合には、無線通信モジュール２０５の識別情報には、“東京０３”から始まる電話番号が紐付けされている。したがって、他の通信装置２は、固定電話となんら変わらない手順によって、無線通信装置１に電話をかけることができる。つまり、無線通信装置１は、固定電話の使い勝手を踏襲しつつ、高速データ通信回線を使用した機能を提供することができる。
【００１８】
なお、無線通信装置１は、さらに子機３０を備えていてもよい。この子機３０は、ＤＥＣＴ（Digital Enhanced Cordless Telecommunications）などの規格に基づく無線通信によって本体装置１０と接続される。また、子機３０は、二次電池を備えており、子機充電スタンド３１に装着された状態において、充電される。この子機３０の詳細な説明は省略する。
【００１９】
［本体装置の構成］
次に、本体装置１０及びタブレット装置２０の構成の詳細について、図１及び図２を参照して説明する。まず、本体装置１０の構成の詳細について説明する。
図２は、本実施形態の無線通信装置１の機能構成の一例を示すブロック図である。本体装置１０は、保持部１０１と、本体制御部１０３と、本体通信部１０４と、本体記憶部１０６と、本体音出力部１０８と、タブレット保持検出部１０９と、受話器１１０と、受話器保持検出部１１１と、受話器保持部１１２とを備えている。この本体装置１０は、タブレット装置２０のクレードルとしての機能を有している。ここで、クレードルとは、装着された装置（ここでは、タブレット装置２０）を保持する保持機能、装着された装置を充電する充電機能、装着された装置との間において情報を授受する通信機能などを備える装置である。つまり、無線通信装置１の本体装置１０とタブレット装置２０とは、脱着が可能である。
【００２０】
保持部１０１は、タブレット装置２０が装着された場合に、装着されたタブレット装置２０を保持する。具体的には、保持部１０１は、タブレット装置２０の外形寸法に応じた保持部材（不図示）を備えている。この保持部材は、タブレット装置２０の筐体の一部、又は全部を保持する。また、保持部１０１は、タブレット装置２０を保持した状態において、タブレット装置２０が備える表示画面の一部、又は全部が視認可能な形状に設計されている。これにより、保持部１０１は、タブレット装置２０を保持した状態においても、無線通信装置１のユーザに対して、タブレット装置２０が表示する画像を提供することができる。
【００２１】
タブレット保持検出部１０９は、タブレット装置２０が保持部１０１に保持されているか否かを検出する。具体的には、タブレット保持検出部１０９は、タブレット装置２０が保持部１０１に装着されているか否かを検出するコンタクトスイッチ（不図示）を備えている。タブレット保持検出部１０９は、コンタクトスイッチが出力するＯＮ又はＯＦＦの信号を検出することにより、タブレット装置２０が保持部１０１に保持されているか否かを検出する。タブレット保持検出部１０９は、検出した結果を本体制御部１０３に出力する。
【００２２】
なお、ここでは、タブレット保持検出部１０９が機械式のスイッチによってタブレット装置２０が保持部１０１に保持されているか否かを検出する場合を一例にして説明したが、これに限られない。例えば、本体装置１０と、タブレット装置２０とが電気接点（不図示）を介して通信する場合がある。この場合には、タブレット保持検出部１０９は、この電気接点を介して、本体装置１０と、タブレット装置２０とが接続されているか否かに基づいて、タブレット装置２０が保持部１０１に保持されているか否かを検出してもよい。
【００２３】
また、ここでは、本体装置１０がタブレット保持検出部１０９を備えている場合を一例にして説明したが、これに限られない。タブレット装置２０が、タブレット保持検出部（不図示）を備えている構成であってもよい。
【００２４】
また 、本体制御部１０３は、タブレット装置２０が保持部１０１に装着されたことが検出されると、本体装置１０とタブレット装置２０との間の通信のペアリングを行う。具体的には、本体制御部１０３は、タブレット保持検出部１０９がタブレット装置２０の保持を検出すると、タブレット装置２０に本体装置１０の識別情報を送信する。これにより、本体装置１０と、タブレット装置２０とがペアリングされる。
なお、ここでは、本体装置１０からタブレット装置２０に対して識別情報を送信する場合を一例にして説明したが、タブレット装置２０から本体装置１０に対して識別情報を送信してもよい。
また、本体制御部１０３は、タブレット装置２０が保持部１０１から取り外されたことが検出された場合に、本体装置１０とタブレット装置２０との間の通信のペアリングを行ってもよい。
【００２５】
本体制御部１０３は、ＣＰＵ（Central Processing Unit）を備えており、本体装置１０が備える各部を制御する。
本体記憶部１０６には、本体制御部１０３が使用する各種の情報が記憶される。
【００２６】
受話器１１０は、マイクとスピーカとを備えており、マイクによって取得した音声情報を本体制御部１０３に供給するとともに、本体制御部１０３から供給される情報に基づく音をスピーカから出力する。この受話器１１０は、無線通信モジュール２０５を介した音声通話に用いられるほか、音声認識によって無線通信装置１を操作する場合には、音声認識用の音を取得するマイクとしても用いられる。
【００２７】
この受話器１１０は、いわゆる固定電話の受話器と同様の外形を備える。具体的には、受話器１１０は、ユーザによって把持される把持部と、両端部とを備えている（いずれも不図示）。受話器１１０は、この両端部のうち、一方の端部にマイクを備え、他方の端部にスピーカを備える。また、この受話器１１０の把持部は、マイクをユーザの口元に近づけた場合に、スピーカがこのユーザの耳元に近づくような寸法により設計されている。したがって、本実施形態の無線通信装置１によれば、固定電話となんら変わらない操作によって、電話をかけることができる。つまり、無線通信装置１は、固定電話の使い勝手を踏襲しつつ、高速データ通信回線を使用した機能を提供することができる。
【００２８】
受話器保持部１１２は、受話器１１０を保持する。具体例を説明すると、受話器保持部１１２は、受話器１１０の外形寸法に応じた形状の窪みを、本体装置１０の一部に備えている。受話器保持部１１２は、この窪みに載置された受話器１１０が重力によって本体装置１０から脱落しないように、受話器１１０を保持する。
【００２９】
受話器保持検出部１１１は、受話器１１０が受話器保持部１１２に保持されているか否かを検出する。具体的には、受話器保持検出部１１１は、受話器検出フック（不図示）を備えている。この受話器検出フックは、受話器１１０が受話器保持部１１２に載置された場合に受話器１１０の筐体が接する位置に備えられている。受話器保持検出部１１１は、受話器検出フックが出力するＯＮ又はＯＦＦの信号を検出することにより、受話器１１０が受話器保持部１１２に保持されているか否かを検出する。受話器保持検出部１１１は、検出した信号を本体制御部１０３に出力する。
【００３０】
本体音出力部１０８は、スピーカを備えており、本体制御部１０３の制御に基づいて、音を出力する。この本体音出力部１０８が出力する音には、電話や電子メールの着信音が含まれる。
【００３１】
本体通信部１０４は、無線通信又は有線通信によって、タブレット装置２０と通信する。この一例では、タブレット装置２０が本体装置１０との無線通信機能を備えている場合について説明する。この場合、本体通信部１０４は、無線通信によってタブレット装置２０と通信する。この無線通信には、種々のプロトコルが適用可能である。
【００３２】
［タブレット装置の構成］
次に、タブレット装置２０の構成の詳細について説明する。タブレット装置２０は、上述した無線通信モジュール２０５に加え、表示部２０１と、操作検出部２０２と、タブレット制御部２０３と、タブレット通信部２０４と、タブレット記憶部２０６と、通信品質判定部２０９と、通信品質情報出力部２１０と、を備えている。
この一例では、タブレット装置２０が、通信品質判定部２０９及び通信品質情報出力部２１０を備えている場合について説明する。但し、本体装置１０が、通信品質判定部２０９及び通信品質情報出力部２１０を備える構成であってもかまわない。
【００３３】
タブレット制御部２０３は、ＣＰＵを備えており、タブレット装置２０が備える各部を制御する。
タブレット記憶部２０６には、タブレット制御部２０３が使用する各種の情報が記憶される。
【００３４】
表示部２０１は、液晶ディスプレイを備えており、文字や写真などの画像を表示する。この表示部２０１が表示する画像には、着信を待ち受けている場合に表示される電話メニュー画像ＰＴｍ、電話を発信する際に表示される電話帳画像ＰＴｄ、データ通信の操作メニューを示すホーム画像ＰＨｍ、音声通話中であることを示す通話中画像ＰＣｌが含まれる。この各種画像のうち、ホーム画像ＰＨｍの一例を図１に示す。ホーム画像ＰＨｍには、電話の発信、ＳＮＳ（Social Networking Service）用アプリケーションの起動、及びインターネット接続アプリケーションの起動の操作を受け付ける操作用画像が含まれる。また、ホーム画像ＰＨｍには、ニュース閲覧用アプリケーションの起動、地図閲覧用アプリケーションの起動、及びネットショッピング用アプリケーションの操作を受け付ける操作用画像が含まれる。以下の説明において、これらの操作用画像を、アイコン画像とも記載し、又は単にアイコンとも記載する。すなわち、ホーム画像ＰＨｍには、電話アイコンＰ１と、ＳＮＳアイコンＰ２と、インターネットアイコンＰ３とが含まれる。また、ホーム画像ＰＨｍには、ニュースアイコンＰ４と、地図アイコンＰ５と、ショッピングアイコンＰ６とが含まれる。
【００３５】
操作検出部２０２は、表示部２０１に表示される操作用画像に対する操作を検出する。具体的には、操作検出部２０２は、表示部２０１を覆う透明なタッチパネルセンサを備えており、ユーザの操作を検出する。
【００３６】
タブレット通信部２０４は、無線通信又は有線通信によって、本体装置１０の本体通信部１０４と通信する。この一例では、タブレット通信部２０４と本体通信部１０４とが、無線通信によって通信する場合について説明する。この無線通信によって送受信される情報には、音声通話情報と、通信情報とが含まれる。
音声通話情報とは、音声通話に用いられる情報である。より具体的には、この音声通話情報とは、無線通信装置１と他の通信装置２との間における、無線通信回線を介した音声通話に用いられる情報である。
通信情報とは、無線通信回線を介したデータ通信に用いられる情報である。より具体的には、通信情報とは、無線通信装置１と他の通信装置２との間における、無線通信回線を介したデータ通信に用いられる情報である。すなわち、タブレット通信部２０４は、無線通信回線を介した音声通話に用いられる音声通話情報と、無線通信回線を介したデータ通信に用いられる通信情報とを、本体装置１０との間において送受信する。
【００３７】
なお、このタブレット通信部２０４は、音声通話情報と、通信情報とのうち、音声通話情報を本体通信部１０４との間において送受信する構成であってもよい。すなわち、本体通信部１０４と、タブレット通信部２０４とは、音声通話情報及び通信情報の少なくとも一方の情報を送受信する構成であってもよい。このように構成することにより、無線通信装置１は、本体装置１０が音声通話機能を提供し、タブレット装置２０がデータ通信機能を提供するように機能を振り分けることができる。また、無線通信装置１は、本体装置１０が音声通話機能を提供し、タブレット装置２０が音声通話機能と、データ通信機能とを提供するように機能を振り分けることもできる。すなわち、無線通信装置１は、本体装置１０と、タブレット装置２０とにおいて、相互に異なる機能を提供することができる。これにより、無線通信装置１によれば、タッチパネル操作に慣れているユーザに対してはタブレット装置２０によって機能を提供し、タッチパネル操作に慣れていないユーザに対しては本体装置１０によって機能を提供することができる。すなわち、無線通信装置１によれば、ユーザの特性にあわせた機能を提供することができる。
【００３８】
通信品質判定部２０９は、タブレット通信部２０４と本体通信部１０４とが、無線通信によって通信する場合において、その無線通信の通信品質を判定する。例えば、通信品質判定部２０９は、本体装置１０の本体通信部１０４から送信される電波の受信信号強度を測定した結果に基づいて、通信品質を判定する。その場合、通信品質判定部２０９は、受信信号強度が強い場合には通信品質が良いと判定し、受信信号強度が弱い場合には通信品質が悪いと判定する。なお、受信信号強度の代わりに、例えば、通信品質判定部２０９は、本体装置１０の本体通信部１０４から送信される電波の受信におけるＳＮ比（Signal-Noise比；信号雑音比）を測定した結果に基づいて、通信品質を判定してもよい。その場合、通信品質判定部２０９は、ＳＮ比が大きい場合には通信品質が良いと判定し、ＳＮ比が小さい場合には通信品質が悪いと判定する。
【００３９】
通信品質判定部２０９は、所定のタイミングで、また、所定の判定ルールに基づいて、タブレット通信部２０４と本体通信部１０４との間の無線通信の通信品質を判定する。
所定のタイミングとして、例えば、通信品質判定部２０９は、定期的に（例えば、１秒毎に）通信品質を測定する。なお、その他の所定のタイミングとして、例えば、通信品質判定部２０９は、タブレット装置２０が移動したことを検知したタイミングで、通信品質を測定するようにしてもよい。その場合には、タブレット装置２０は、自らのタブレット装置２０が移動したこと検知するためのセンサー（例えば、加速度センサー）、または測位システム（例えば、ＧＰＳ（Global Positioning System；全地球測位網））等を備えていることが望ましい。
【００４０】
また、所定の判定ルールとして、例えば、通信品質判定部２０９は、測定結果である通信品質と、しきい値として予め定められた通信品質と、を比較することによって、通信品質を判定する。
なお、通信品質判定部２０９が行う通信品質の判定は、上記のような、通信品質の測定結果と、しきい値と、の単純な比較による判定だけに限られるものではない。
例えば、通信品質判定部２０９が行う通信品質の判定は、通信品質の時間的な変化に応じて判定するようにしてもよい。例えば、タブレット装置２０が本体装置１０から徐々に遠ざかっているような場合など、徐々に通信品質が悪化しているという測定結果を得たときには、通信品質判定部２０９は、通信品質がしきい値を下回っていなくても通信品質が低下していると判定するようにしてもよい。
また、逆に、タブレット装置２０が本体装置１０から徐々に近づいているような場合など、徐々に通信品質が改善しているという測定結果を得たときには、通信品質判定部２０９は、通信品質がしきい値を下回っていても通信品質が低下していないと判定するようにしてもよい。
【００４１】
具体的には、例えば、タブレット通信部２０４と本体通信部１０４との間の無線通信は、近距離無線通信規格の１つであるブルートゥース（Bluetooth（登録商標））によって通信接続される。この場合、例えば、通信品質判定部２０９は、ブルートゥースの受信信号強度（ＲＳＳＩ;Received Signal Strength Indicator）の測定結果と、しきい値として予め定められた受信信号強度とを大小比較することによって、タブレット通信部２０４と本体通信部１０４と間の通信品質を判定する。
なお、タブレット通信部２０４と本体通信部１０４との間の無線通信は、その他の通信規格、例えば、ＩＥＥＥ８０２．１１シリーズ規格に準拠する無線ＬＡＮ規格であるＷｉ−Ｆｉ（登録商標）等によって通信接続されてもよい。Ｗｉ−Ｆｉによって通信接続する場合には、通信品質判定部２０９は、Ｗｉ−Ｆｉのの受信信号強度（ＲＳＳＩ;Received Signal Strength Indicator）の測定結果と、しきい値として予め定められた受信信号強度とを大小比較することによって、タブレット通信部２０４と本体通信部１０４と間の通信品質を判定する。
例えば、しきい値として予め定められた受信信号強度とは、「−６０ディービーエム（ｄＢｍ;Decibel-milliwatts）」等である。例えば、通信品質判定部２０９は、受信信号強度の測定結果が−６０ｄＢｍを下回ったとき、通信品質が低下していると判定する。
そして、通信品質判定部２０９は、必要に応じて、通信品質の判定結果を出力する。
【００４２】
通信品質情報出力部２１０は、通信品質判定部２０９から通信品質の判定結果を取得する。この一例では、通信品質判定部２０９によって通信品質が低下したと判定された場合に、通信品質情報出力部２１０は、通信品質判定部２０９から通信品質が低下したことを示す判定結果を取得する。なお、通信品質判定部２０９によって通信品質が低下していないと判定された場合に、通信品質情報出力部２１０が、通信品質判定部２０９から通信品質が低下していないことを示す判定結果を取得するようにしてもよい。
【００４３】
以下、タブレット装置２０が通信モジュールを備え、本体装置１０はタブレット装置２０を介して通信基地局と通信接続をする場合を例として説明する。
【００４４】
本体装置１０が音声通話中である場合、すなわち、タブレット装置２０と本体装置１０とが通信中である場合に、通信品質情報出力部２１０は通信品質判定部２０９から通信品質の判定結果を取得すると、通信品質情報出力部２１０は、例えば以下のような処理を実行する。
【００４５】
通信品質情報出力部２１０は、タブレット制御部２０３を介して、表示部２０１に受信信号強度の低下を示す画像データに基づく画像ＰＣｌを表示させる。この受信信号強度の低下を示す画像データは、タブレット記憶部２０６に予め記憶されている。表示部２０１は、取得した画像データに基づく画像ＰＣｌを表示する。この画像ＰＣｌとは、タブレット装置２０を使用しているユーザに、受信信号強度が低下したことを通知する画像である。例えば、この画像には、「このタブレットを電話機本体に近づけてください。電波が弱まっています。」などの文言が記載されている。
【００４６】
なお、この一例では、通信品質情報出力部２１０は、タブレット装置２０を使用しているユーザに、画像ＰＣｌによって通知したが、画像以外の通知手段で通知してもよい。例えば、タブレット装置２０が音声出力機能を備えているならば、通信品質情報出力部２１０は、音声によって通知をしてもよい。また、例えば、タブレット装置２０が、振動モーターによる振動の刺激などの体性感覚を生じさせる刺激を発生する機能を備えているならば、通信品質情報出力部２１０は、ユーザに体性感覚を生じさせる刺激によって通知をしてもよい。
【００４７】
また、通信品質情報出力部２１０は、タブレット制御部２０３を介して、タブレット通信部２０４へ、受信信号強度の低下を示す通信品質低下情報を出力する。タブレット通信部２０４は、通信品質低下情報を本体装置１０の本体通信部１０４へ出力する。
本体通信部１０４は、タブレット通信部２０４から通信品質低下情報を取得する。本体通信部１０４が通信品質低下情報を取得すると、本体制御部１０３は、例えば、本体記憶部１０６から音声データを取得する。取得した音声データは、本体制御部１０３を介して音声通話中の音声を示す音声データに重ねられ、受話器１１０にて再生される。または、取得した音声データに基づく音声は、受話器１１０以外のスピーカによって再生されてもよい。その場合、取得した音声データに基づく音声は、例えば、本体音出力部１０８にて再生される。この音声は、本体装置１０を使用しているユーザ、すなわち、音声通話中のユーザに、受信信号強度が低下したことの通知を行うために再生される。例えば、再生される音声は、「タブレットを電話機本体に近づけてください。電波が弱まっています。」等のメッセージ音や、「プッ、プッ、プッ」などの警告音等である。
【００４８】
なお、この一例では、本体装置１０は、本体装置１０を使用しているユーザ、すなわち、音声通話中のユーザに、音声によって通知したが、音声以外の通知手段であってもよい。例えば、本体装置１０は、本体装置１０に備えられた警告灯を点滅させることによってユーザに通知をしてもかまわない。例えば、警告灯は、ＬＥＤランプ（Light Emitting Diode lamp）等である。その場合には、通信品質情報出力部２１０は、受信信号強度の低下を示す信号を、タブレット通信部等を介して本体装置１０の本体制御部１０３へ送信する。本体制御部１０３は、受信信号強度の低下を示す信号を取得した場合、本体装置１０に備えられた警告灯を点滅させる。
【００４９】
さらに、通信品質情報出力部２１０は、音声通話中である相手側のユーザ（他の通信装置２によって音声通話中のユーザ）へ、受信信号強度が低下したことの通知を行う。
通信品質情報出力部２１０は、受信信号強度の低下を示す音声データを、タブレット記憶部２０６から取得する。取得した音声データは、タブレット制御部２０３を介して音声通話中の音声を示す音声データに重ねられ、無線通信モジュール２０５へ出力される。すなわち、受信信号強度の低下を通知する音声は、音声通話中の音声に重ねられて、相手側のユーザの通信装置（他の通信装置２）の音声再生部（例えば、受話器）等において再生される。例えば、再生される音声は、「通話相手の電話機の電波状態が不安定です。」等のメッセージ音、または「プッ、プッ、プッ」などの警告音等である。
【００５０】
なお、この一例では、通信品質情報出力部２１０は、音声通話の相手側のユーザに、音声によって通知をしたが、音声以外の通知方法で通知してもよい。例えば、通信品質情報出力部２１０は、メッセージや画像によって通知を行ってもかまわない。その場合には、通信品質情報出力部２１０は、受信信号強度の低下を示すテキストデータまたは画像データ等を、無線通信モジュール２０５を介して相手側のユーザの通話装置へ送信する。相手側のユーザの通信装置（他の通信装置２）は、取得したテキストデータに基づくメッセージ、または取得した画像データ等に基づく画像を、自らの通信装置（他の通信装置２）が備える表示部等にメッセージまたは画像を表示する。
【００５１】
また、上記の例においては、通信品質情報出力部２１０が、通信品質の判定結果を表す情報そのものを出力する構成であるが、これに限られない。通信品質情報出力部２１０は、タブレット通信部２０４と本体通信部１０４との間の通信接続が切断される頻度を低減するための何らかの出力制御をする構成であればよい。例えば、通信品質情報出力部２１０は、通信品質判定部２０９による通信品質の判定結果に応じて、タブレット通信部２０４と本体通信部１０４との間の通信接続における信号送信出力を変化させる、等の出力制御をしてもよい。出力制御をする場合、無線通信装置１は、タブレット通信部２０４と本体通信部１０４との間の通信品質が低下したときには、信号送信出力を上げることによって、タブレット通信部２０４と本体通信部１０４との間の通信接続が切断される頻度を低減することができる。
【００５２】
また、通信品質が低下した場合にのみ通信品質情報を出力するだけでなく、例えば、タブレット通信部２０４と本体通信部１０４との間の通信接続が切断された場合にも、通信品質情報出力部２１０が通信品質情報を出力するようにしてもよい。その場合、タブレット通信部２０４と本体通信部１０４との間の通信接続が切断された際には、本体制御部１０３は、自らの本体装置１０の前面等に備えられた警告灯（図示せず）を点滅させたり、本体音出力部１０８によって音声メッセージを再生したりすることにより、通信接続が切断されたことをユーザに通知するようにしてもよい。ユーザに通知する場合、無線通信装置１は、本体装置１０、タブレット装置２０、及び他の通信装置２のそれぞれのユーザに対して、迅速に通信接続が切断されたことを通知することができる。それによって、それぞれのユーザは迅速に、再度、通信接続をするための措置等をとることができる。
【００５３】
なお、タブレット装置２０は、音検出部２０７と、音出力部２０８とを備えていてもよい。
音検出部２０７は、マイクを備えており、このマイクによって取得した音声情報をタブレット制御部２０３に供給する。また、音出力部２０８は、スピーカを備えており、タブレット制御部２０３から供給される情報に基づく音を、このスピーカから出力する。タブレット装置２０は、これら音検出部２０７と、音出力部２０８とを備えることにより、音声通話や音声検索などの機能を提供することができる。
【００５４】
［無線通信装置の動作の一例］
次に、図３から図６を参照して、無線通信装置１の動作の一例について説明する。
図３は、本実施形態の無線通信装置１による処理の流れの一例を示す流れ図である。無線通信装置１は、モード判定処理、音声通話処理、及び通信品質情報出力処理を繰り返し実行する。なお、無線通信装置１は、ここに記載した、モード判定処理、音声通話処理、及び通信品質情報出力処理以外の、その他の処理を実行してもよい。例えば、その他の処理には、データ通信処理等がある。このその他の処理については説明を省略する。以下、無線通信装置１が実行する、モード判定処理、音声通話処理、及び通信品質情報出力処理の具体例について、それぞれ説明する。
【００５５】
［モード判定（装着モード／非装着モード）］
モード判定処理とは、本体装置１０にタブレット装置２０が装着されているか否かを判定する処理である。以下の説明において、タブレット装置２０が本体装置１０に装着されている状態を、装着モードとも記載する。また、本体装置１０にタブレット装置２０が装着されていない状態を、非装着モードとも記載する。すなわち、モード判定処理とは、装着モードであるか、非装着モードであるかを、判定する処理である。本体装置１０とタブレット装置２０とのいずれが、モード判定処理を実行してもよい。この一例においては、タブレット装置２０が、モード判定処理を実行する場合について説明する。この場合、本体装置１０は、タブレット装置２０に対して保持状態情報を送信する（ステップＳ１１）。また、タブレット装置２０は、本体装置１０から送信された保持状態情報に基づいて、モード判定処理を実行する（ステップＳ２１）。
【００５６】
［音声通話処理］
次に、音声通話処理について説明する。音声通話処理とは、無線基地局３を介して、他の通信装置２との間において音声通話を行う処理である。この一例では、無線通信装置１が、本体装置１０の受話器１１０によって、音声通話機能を提供する場合について説明する。なお、タブレット装置２０が音検出部２０７及び音出力部２０８を備えている場合には、タブレット装置２０が音声通話機能を提供することができるが、この一例では、その説明を省略する。
【００５７】
タブレット装置２０は、無線通信モジュール２０５を介して無線基地局３から受信した音声情報を本体装置１０に転送する。また、タブレット装置２０は、本体装置１０から受信した音声情報を、無線通信モジュール２０５を介して無線基地局３に転送する。すなわち、タブレット装置２０は、無線基地局３と本体装置１０との間において、音声情報を相互に転送する（ステップＳ２２）。また、本体装置１０は、タブレット装置２０から転送された音声情報を受話器１１０のスピーカに出力する。本体装置１０は、受話器１１０のマイクが取得した音声情報を、タブレット装置２０に送信する（ステップＳ１２）。この音声通話処理の詳細について、図４を参照して説明する。
【００５８】
図４は、本実施形態の無線通信装置１による音声通話処理の流れの一例を示す流れ図である。ここでは、他の通信装置２が電話機であり、この電話機が発信した音声通話を、無線通信装置１が受信する場合を一例にして説明する。
他の通信装置２は、無線通信装置１に対して音声通話を発信する（ステップＳ０２１）。具体的には、他の通信装置２は、無線通信装置１の電話番号に対して音声通信を発信する。次に、無線基地局３は、無線通信装置１の無線通信モジュール２０５と通信を行い、他の通信装置２が音声通話を発信したことを通知する。なお、無線基地局３の動作は、既知の高速データ通信回線に対する動作と同様であるため、その説明を省略する。
【００５９】
タブレット装置２０のタブレット制御部２０３は、無線通信モジュール２０５を介して音声通話の着信を検出する（ステップＳ２２１０）。次に、タブレット制御部２０３は、音声通話の着信を示す情報を、本体装置１０の本体制御部１０３に送信する（ステップＳ２２２０）。なお、タブレット制御部２０３と、本体制御部１０３との間の送受信には、タブレット通信部２０４と、本体通信部１０４とが介在するが、以下ではその説明を省略する。
【００６０】
本体制御部１０３は、タブレット制御部２０３から音声通話の着信を示す情報を受信する（ステップＳ１２１０）と、電話着信音を出力する（ステップＳ１２２０）。この電話着信音は、本体記憶部１０６に予めその音源データが記憶されており、本体音出力部１０８のスピーカから出力される。
【００６１】
なお、ステップＳ２２１０において、タブレット制御部２０３は、音声通話の着信を示す情報を、（Ａ）規定回数（例えば、１回）だけ送信してもよく、（Ｂ）本体装置１０がオフフックを検出するまでの間、送信し続けてもよい。
上述の（Ａ）の場合には、本体制御部１０３は、着信応答を示す情報を受信するまでの間、着信音を出力し続ける。本体装置１０又はタブレット装置２０が着信応答をすると、タブレット制御部２０３は、着信応答を示す情報を本体制御部１０３に送信する。本体制御部１０３は、着信応答を示す情報を受信すると、着信音の出力を停止する。
また、上述の（Ｂ）の場合には、本体制御部１０３は、音声通話の着信を示す情報を受信している間、着信音を出力し続ける。本体装置１０又はタブレット装置２０が着信応答をすると、タブレット制御部２０３は、音声通話の着信を示す情報の送信を停止する。本体制御部１０３は、音声通話の着信を示す情報の受信をしなくなると、着信音の出力を停止する。
【００６２】
本体制御部１０３は、受話器保持検出部１１１の検出結果、つまり、受話器１１０のフック状態を示す情報を、受話器保持検出部１１１から取得する（ステップＳ１２３０）。この受話器１１０のフック状態を示す情報は、オンフックか、オフフックかのいずれかを示す。フック状態を示す情報がオフフックを示す場合には、このフック状態を示す情報は、ユーザが通話するために、受話器１１０を本体装置１０から取り外したことを示している。つまり、フック状態を示す情報がオフフックを示す場合には、受話器１１０が持ち上げられたことを示している。
【００６３】
次に、本体制御部１０３は、ユーザが受話器１１０を持ち上げたか否かを判定する。すなわち、本体制御部１０３は、ステップＳ１２３０において取得したフック状態を示す情報が、オフフックを示すか否かを判定する（ステップＳ１２４０）。本体制御部１０３は、フック状態を示す情報が、オフフックを示す場合（ステップＳ１２４０；ＹＥＳ）には、処理をステップＳ１２５０に進める。一方、本体制御部１０３は、フック状態を示す情報が、オフフックを示さない場合、すなわちオンフックを示す場合（ステップＳ１２４０；ＮＯ）には、処理をステップＳ１２４０に戻す。
【００６４】
次に、本体制御部１０３は、ステップＳ１２２０において出力を開始した着信音を停止する（ステップＳ１２５０）。
なお、ステップＳ１２３０からステップＳ１２５０において、ユーザによる着信応答が本体装置１０において行われる場合について説明したが、この着信応答がタブレット装置２０において行われる場合がある。この場合には、タブレット制御部２０３は、ユーザが着信応答を行ったか否かを判定する。タブレット制御部２０３は、ユーザが着信応答を行ったと判定した場合には、着信応答が行われたことを示す情報を、本体制御部１０３に対して送信する。本体制御部１０３は、着信応答が行われたことを示す情報を受信すると、着信音を停止する。
【００６５】
次に、本体制御部１０３、ステップＳ１２３０において取得したフック状態を示す情報をタブレット制御部２０３に送信する（ステップＳ１２６０）。
【００６６】
タブレット制御部２０３は、ステップＳ１２６０において送信されたフック状態を示す情報を受信する（ステップＳ２２３０）。タブレット制御部２０３は、フック状態を示す情報を受信することにより、受話器１１０が持ち上げられたか否かを判定することができる。ここで、ステップＳ１２６０において送信されたフック状態を示す情報は、受話器１１０が持ち上げられたことを示している。すなわち、タブレット制御部２０３は、ステップＳ２２３０において、受話器１１０が持ち上げられたと判定する。受話器１１０のオフフック動作とは、他の通信装置２との通話接続の応答指示である。タブレット制御部２０３は、受話器１１０が持ち上げられたと判定すると、処理をステップＳ２２４０に進めて、他の通信装置２からの通話着信に対する応答を行う。
【００６７】
次に、タブレット制御部２０３と、他の通信装置２とは、相互に音声情報の送受信を開始する（ステップＳ２２４０、及びステップＳ０２２）。
【００６８】
次に、本体制御部１０３、タブレット制御部２０３、及び他の通信装置２との間において、音声通話処理が行われる。この音声通話処理の一例を、図４図４の破線によって囲まれた処理群（ステップＳＴｅｌ）によって示す。この音声通話処理には、無線通信装置１が受信側である場合の処理と、無線通信装置１が送信側である場合の処理とがある。
まず、無線通信装置１が受信側である場合の処理について説明する。他の通信装置２は、音声情報を送信する（ステップＳ０２３）。タブレット制御部２０３は、ステップＳ０２３において送信された音声情報を受信する（ステップＳ２０１）と、受信した音声情報を本体制御部１０３に対して転送する（ステップＳ２０２）。本体制御部１０３は、ステップＳ２０２において送信された音声情報を受信する（ステップＳ１０１）。
次に、無線通信装置１が送信側である場合の処理について説明する。本体制御部１０３は、音声情報を送信する（ステップＳ１０２）。タブレット制御部２０３は、ステップＳ１０２において送信された音声情報を受信する（ステップＳ２０３）と、受信した音声情報を他の通信装置２に対して転送する（ステップＳ２０４）。他の通信装置２は、ステップＳ２０４において送信された音声情報を受信する（ステップＳ０２４）。
【００６９】
この音声通話処理は、ユーザが受話器１１０を本体装置１０の受話器保持部１１２に置くまで継続される。本体制御部１０３は、受話器保持検出部１１１の検出結果、つまり、受話器１１０のフック状態を示す情報を取得し、オンフックか否かを判定する（ステップＳ１２７０）。本体制御部１０３は、オンフックであると判定した場合（ステップＳ１２７０；ＹＥＳ）には、処理をステップＳ１２８０に進める。また、本体制御部１０３は、オンフックでないと判定した場合（ステップＳ１２７０；ＮＯ）には、音声通話処理を継続する。
【００７０】
ステップＳ１２８０において、本体制御部１０３は、受話器１１０のフック状態を示す情報をタブレット制御部２０３に送信する。タブレット制御部２０３は、ステップＳ１２８０において送信されたフック状態を示す情報を受信する（ステップＳ２２５０）。ここで、ステップＳ１２８０において送信されたフック状態を示す情報は、受話器１１０が受話器保持部１１２に置かれたことを示している。すなわち、タブレット制御部２０３は、ステップＳ２２５０において、受話器１１０が置かれたと判定する。受話器１１０のオンフック動作とは、他の通信装置２との通話接続の終了指示である。タブレット制御部２０３は、受話器１１０が置かれたと判定すると、処理をステップＳ２２６０に進めて、他の通信装置２との通話接続を終了する。
【００７１】
タブレット制御部２０３と、他の通信装置２とは、音声情報の送受信を終了する（ステップＳ２２６０、及びステップＳ０２５）。
【００７２】
［通信品質情報出力］
図３に戻り、通信品質情報出力処理について説明する。
通信品質情報出力処理とは、タブレット装置２０の通信品質情報出力部２１０が、自らのタブレット装置２０の表示部２０１、本体装置１０、及び他の通信装置２（無線通信回線を介した音声通話の相手側の装置）へ、通信品質情報を出力する処理である。
通信品質情報とは、本体装置１０の通信品質判定部２０９が、本体装置１０とタブレット装置２０との間の通信品質の状態を判定し、その判定結果に基づいて通信品質情報出力部２１０が出力する情報である。例えば、通信品質情報は、本体装置１０とタブレット装置２０との間の通信品質が低下したとの判定結果に基づいて、タブレット装置２０、本体装置１０、及び他の通信装置２のうち少なくとも１つがそれぞれのユーザに対し警告を出力するための情報である。
【００７３】
この一例では、タブレット装置２０の通信品質判定部２０９及び通信品質情報出力部２１０よって、無線通信装置１が、通信品質情報出力機能を提供する場合について説明する。なお、通信品質判定部２０９及び通信品質情報出力部２１０を、本体装置１０が備えている場合には、本体装置１０が通信品質情報出力機能を提供することができるが、この一例では、その説明を省略する。
【００７４】
また、この一例では、無線通信装置１の側においては、本体装置１０の受話器１１０によって音声通話が行われている場合について説明する。
図５は、本実施形態の無線通信装置１による通信品質情報出力処理の流れの一例を示す流れ図である。
図５に例示する処理は、無線通信装置１（本体装置１０及びタブレット装置２０）と他の通信装置２との間において、音声通話処理が行われる際に開始する（ステップＳＴｅｌ）。
【００７５】
まず、タブレット装置２０の通信品質判定部２０９は、定期的に（例えば、１秒毎に）、本体装置１０との通信接続の受信信号強度（ＲＳＳＩ）を測定する。通信品質判定部２０９は、測定結果である受信信号強度と、所定のしきい値として予め定められた受信信号強度と、を大小比較することによって、通信品質を判定する。通信品質判定部２０９は、受信信号強度の測定結果がしきい値を下回っているとき、通信品質が低下している状態であると判定する（ステップＳ２３１０；ＹＥＳ）。
【００７６】
通信品質判定部２０９が通信品質が低下していると判定した場合、通信品質情報出力部２１０は、タブレット制御部２０３を介して表示部２０１へ、受信信号強度の低下を示す画像データを出力する。
表示部２０１は、取得した画像データに基づく画像を表示する（ステップＳ２３２０）。なお、受信信号強度の低下を示す画像データに基づく画像を、以下、通知画像とも称する。表示部２０１が表示する通知画像の一例については後述する。
【００７７】
通信品質判定部２０９が通信品質が低下していると判定した場合、通信品質情報出力部２１０は、タブレット制御部２０３を介してタブレット通信部２０４へ、受信信号強度の低下を示す音声データを出力する。タブレット通信部２０４は、取得した音声データを本体通信部１０４へ出力する。（ステップＳ２３３０）。
本体通信部１０４は、取得した音声データを本体制御部１０３へ出力する。本体制御部１０３は、取得した音声データに基づく音声を、受話器１１０によって再生する。または、本体制御部１０３は、取得した音声データに基づく音声を、本体音出力部１０８によって再生する（ステップＳ１３１０）。
【００７８】
また、通信品質判定部２０９が通信品質が低下していると判定した場合、通信品質情報出力部２１０は、他の通信装置２へ、受信信号強度の低下を示す音声データを出力する。（ステップＳ２３４０）。
他の通信装置２は、取得した音声データに基づく音声を、自らの他の通信装置２が備える音声再生部（例えば、受話器、スピーカ等）によって再生する。（ステップＳ０３１）。
【００７９】
タブレット制御部２０３は、タブレット通信部２０４と本体通信部１０４との間の通信接続が切断された場合（ステップＳ２３５０；ＹＥＳ）には、タブレット制御部２０３と他の通信装置２とは、音声情報の送受信を終了する（ステップＳ２３８０、及びステップＳ０３２）。
なお、この一例では、タブレット通信部２０４と本体通信部１０４との間の通信接続が切断された場合、音声情報の送受信を終了することとしたが、これに限られない。例えば、タブレット制御部２０３と他の通信装置２とは、タブレット通信部２０４と本体通信部１０４との間の通信接続が再度接続されるまで、タブレット装置２０と他の通信装置２との通信接続を保留の状態にするようにしてもよい。
【００８０】
本体制御部１０３は、タブレット通信部２０４と本体通信部１０４との間の通信接続が切断されていない場合（ステップＳ２３５０；ＮＯ）には、タブレット装置２０の通信品質判定部２０９は、再び、タブレット通信部２０４と本体通信部１０４との間の通信接続の受信信号強度（ＲＳＳＩ）を測定する。通信品質判定部２０９は、測定結果である受信信号強度と、所定のしきい値として予め定められた受信信号強度と、を大小比較することによって、通信品質を判定する。
通信品質判定部２０９は、受信信号強度の測定結果がしきい値を下回っているとき（ステップＳ２３６０；ＹＥＳ）、通信品質が低下している状態であると判定する。通信品質判定部２０９は、受信信号強度の測定結果がしきい値以上であるとき（ステップＳ２３６０；ＮＯ）、通信品質が再び回復した状態であると判定する。
【００８１】
［タブレット装置２０に表示される画像の例］
以下に、タブレット装置２０に表示される通知画像について説明する。
図６は、本実施形態のタブレット装置の表示部に表示される通知画像の一例を示す模式図である。
上述したように、本体装置１０が音声通話中であっても、タブレット装置２０はデータ通信を行うことができる。このため、非装着モードにおいては、本体装置１０とタブレット装置２０とがそれぞれ異なるユーザに利用されている場合がある。ここで、本体装置１０と、タブレット装置２０との間の通信可能距離には限界がある。このため、本体装置１０と、タブレット装置２０とが通信可能距離を超えて利用されると、本体装置１０とタブレット装置２０との間の通信が途絶する場合がある。
以下、無線基地局３と通信を行う無線通信モジュール２０５が、本体装置１０ではなく、タブレット装置２０に備えられている場合について説明する。この場合、本体装置１０が音声通話中に、タブレット装置２０が移動することによって通信可能距離を超えると、本体装置１０の音声通話が途絶する場合がある。したがって、無線通信装置１は、タブレット装置２０を使用するユーザに対して、タブレット装置２０と本体装置１０とが通信中であることを通知することが望ましい。
本実施形態の無線通信装置１は、タブレット装置２０と本体装置１０とが通信中である場合に、タブレット装置２０と本体装置１０とが通信中であることを通知する画像を、表示部２０１に表示する。これにより、無線通信装置１は、タブレット装置２０を使用するユーザに対して、タブレット装置２０と本体装置１０とが通信中であることを通知する。具体的には、上述したように、本体装置１０が音声通話中である場合、すなわち、タブレット装置２０と本体装置１０とが通信中である場合に、表示部２０１に通話中画像ＰＣｌを表示する。
また、無線通信装置１は、タブレット装置２０と本体装置１０との間の通信が開始されたことを通知する画像、及びタブレット装置２０と本体装置１０との間の通信が終了されたことを通知する画像を、表示部２０１に表示してもよい。
【００８２】
図６（Ａ）は、本実施形態の表示部２０１に非装着モードにおいて表示される画像の一例を示す模式図である。非装着モードかつオフフック状態である場合（図６（Ａ）の場合）には、タブレット制御部２０３は、ホーム画像ＰＨｍに重ねて、通話中画像ＰＣｌを表示部２０１に表示する。この通話中画像ＰＣｌとは、本体装置１０の受話器１１０によって音声通話中であることを示す画像である。すなわち、図６（Ａ）に示す模式図は、通知画像ＰＭｌが表示される直前における表示部２０１の表示状態である。
【００８３】
図６（Ｂ）は、本実施形態の表示部２０１に非装着モードにおいて表示される画像であり、通知画像ＰＭｌが表示された場合の一例を示す模式図である。タブレット制御部２０３は、ホーム画像ＰＨｍに重ねて、通話中画像ＰＣｌ、及び通知画像ＰＭｌを表示部２０１に表示する。図６（Ｂ）の例示においては、通知画像ＰＭｌには、「このタブレットを電話機本体に近づけてください。電波が弱まっています。」と記載されている。上述したように、この通知画像とは、本体装置１０とタブレット装置２０との間の通信品質が低下していることを示す画像である。
【００８４】
以上、説明したように、本実施形態に係る無線通信装置１は、タブレット通信部２０４と本体通信部１０４との間の通信品質を判定する通信品質判定部２０９と、通信品質判定部２０９の判定結果に基づいて、タブレット装置２０、前記本体装置１０、及び他の通信装置２へ通信品質情報を通知する通信品質情報出力部２１０とを備える。それにより、タブレット装置２０、前記本体装置１０、及び他の通信装置２を使用中のユーザは、本体装置１０（本体）とタブレット装置２０（操作表示部）との間の通信品質を認知することができる。例えば、通信品質が低下していることを認知したユーザは、操作表示部を本体に近づけることによって本体と操作表示部との通信接続の切断を未然に防止するなどの対処を図ることができる。
以上により、本実施形態に係る無線通信装置１は、本体と操作表示部との間の通信品質を判定することによって、本体と操作表示部との間の通信接続が切断される頻度を低減することができる。
【００８５】
また、上記の例においては、無線通信装置１と他の通信装置２とが音声通話をする場合において、タブレット通信部２０４と本体通信部１０４との間の通信品質情報を出力する処理について説明したが、これに限られない。
例えば、無線通信装置１と他の通信装置２とが通信接続をしていない場合であっても、タブレット通信部２０４と本体通信部１０４との間の通信品質情報を、タブレット装置２０の表示部２０１、本体装置１０の受話器１１０、本体音出力部１０８、及び本体装置１０に備えられた警告灯（図示せず）へ出力するようにしてもよい。
【００８６】
また、例えば、無線通信モジュール２０５を本体装置１０が備える構成とするならば、タブレット装置２０と他の通信装置２とが本体装置１０を介してデータ通信及び音声通話をする場合にも、タブレット通信部２０４と本体通信部１０４との間の通信品質情報を出力する処理を行うようにしてもよい。
【００８７】
以上、本発明の実施形態及びその変形を説明したが、これらの実施形態及びその変形は、例として提示したものであり、発明の範囲を限定することは意図していない。これら実施形態及びその変形は、その他の様々な形態で実施されることが可能であり、発明の要旨を逸脱しない範囲で、種々の省略、置き換え、変更を行うことができる。これら実施形態及びその変形は、発明の範囲や要旨に含まれると同時に、特許請求の範囲に記載された発明とその均等の範囲に含まれるものである。
【００８８】
なお、上述の各装置は内部にコンピュータを有している。そして、上述した各装置の各処理の過程は、プログラムの形式でコンピュータ読み取り可能な記録媒体に記憶されており、このプログラムをコンピュータが読み出して実行することによって、上記処理が行われる。ここでコンピュータ読み取り可能な記録媒体とは、磁気ディスク、光磁気ディスク、ＣＤ−ＲＯＭ、ＤＶＤ−ＲＯＭ、半導体メモリ等をいう。また、このコンピュータプログラムを通信回線によってコンピュータに配信し、この配信を受けたコンピュータが当該プログラムを実行するようにしてもよい。
【００８９】
また、上記プログラムは、前述した機能の一部を実現するためのものであってもよい。
さらに、前述した機能をコンピュータシステムにすでに記録されているプログラムとの組み合わせで実現できるもの、いわゆる差分ファイル（差分プログラム）であってもよい。
【符号の説明】
【００９０】
１…無線通信装置、１０…本体装置、１０１…保持部、１０３…本体制御部、１０４…本体通信部、１０６…本体記憶部、１０８…本体音出力部、１１０…受話器、１１１…受話器保持検出部、２０…タブレット装置、２０１…表示部、２０２…操作検出部、２０３…タブレット制御部、２０４…タブレット通信部、２０５…無線通信モジュール、２０６…タブレット記憶部、２０７…音検出部、２０８…音出力部、２０９…通信品質判定部、２１０…通信品質情報出力部
【図１】
2016178512.tif 000003
【図２】
2016178512.tif 000004
【図３】
2016178512.tif 000005
【図４】
2016178512.tif 000006
【図５】
2016178512.tif 000007
【図６】
2016178512.tif 000008